(57)【特許請求の範囲】
【請求項１】
ドア本体に装着され、内周面に係合溝を備えたホルダーと、
該ホルダー内に回転可能に設けたシリンダ本体とからなり、
該シリンダ本体に、キー挿入方向と直交する方向に付勢され、キーが挿入される前の状態で、シリンダ本体から突出し、前記ホルダーの係合溝に係合する一方、キーが挿入された状態で、整列することにより前記シリンダ本体内に没入する複数のタンブラーを設けたシリンダ錠において、
前記シリンダ本体に、前記各タンブラーを挿入する複数のタンブラー挿入孔と、これらタンブラー挿入孔の一端に位置する拡孔部と、これら拡孔部を直線状に結ぶようにシリンダ本体の一端から軸方向に沿って延びるスプリングリッド配設部と、を設けるとともに、
前記各タンブラーの側縁部に、各タンブラーを前記タンブラー挿入孔に対して挿入方向または反挿入方向に付勢するスプリングのスプリング受部を設け、
前記スプリングを前記スプリングリッド配設部と前記スプリング受部との間、または、前記スプリング受部と前記拡孔部の底部との間に挿入するとともに、前記スプリングリッドをスプリングリッド配設部に配設して各拡孔部を塞ぐことにより、前記タンブラー挿入孔に対して前記タンブラーを挿入方向および反挿入方向のいずれかに選択的に付勢可能としたことを特徴とするシリンダ錠。
【請求項２】
前記タンブラーの側緑部に、キーの挿入により整列する切欠部を設け、該切欠部が形成されていない側縁部に前記スプリング受部を設けるとともに、
前記各タンブラーに向かって付勢され、キーが挿入される前の状態で、タンブラーの側縁部に当接してシリンダ本体から突出し、前記ホルダーの係合溝に係合する一方、キーの挿入により前記タンブラーの整列した切欠部に係合することにより前記シリンダ本体内に没入するサイドバーを設けたことを特徴とする請求項１に記載のシリンダ錠。
【請求項３】
前記各タンブラーをタンブラー挿入孔に対して同一方向から挿入するようにしたことを特徴とする請求項１または請求項２に記載のシリンダ錠。
【請求項４】
前記各タンブラーに、前記スプリングによる付勢方向を示すマーク部を設けたことを特徴とする請求項１乃至請求項３のいずれか１項に記載のシリンダ錠。
【請求項５】
前記各タンブラーにおいて、前記切欠部の近傍に第２の切欠部を設けたことを特徴する請求項１乃至請求項４のいずれか１項に記載のシリンダ錠。
【発明の詳細な説明】
【０００１】
【発明の属する技術分野】
本発明は、車両や建物のドアに使用されるシリンダ錠に関するものである。
【０００２】
【従来の技術】
従来、この種のシリンダ錠は、ドア本体に装着されるホルダーと、該ホルダー内に回転自在に設けられるシリンダ本体とからなる。そして、このシリンダ本体には、両側縁にキー溝を設けたキーの挿入方向と直交する１方向に付勢された複数のタンブラーと、該各タンブラーに向かって付勢されるサイドバーとを配設し、ピッキングによる解錠を困難にしたものが種々提供されている。
【０００３】
前記シリンダ錠のサイドバーは、キーが挿入される前の状態で、タンブラーの側縁部に当接してシリンダ本体から突出し、ホルダーに形成した溝に係合することにより、シリンダ本体を回動不可能に維持する。一方、キーを挿入すると、キーに形成したキー山により各タンブラーを移動させ、その縁に形成した切欠部を整列し、その切欠部にサイドバーが没入することにより、ホルダーに対してシリンダ本体を回動可能とするものである。
【０００４】
【発明が解決しようとする課題】
しかしながら、前記シリンダ錠では、各タンブラーにサイドバーを没入させる切欠部を設ける必要があるため、形状の異なるタンブラーの種類を形成するには限界がある。その結果、そのタンブラーの数により構成可能な鍵コードの種類が限定され、この鍵コードの種類を増やすには配設するタンブラーの数を増やすしかない。そうすると、シリンダ錠の形状が大きくなるという問題がある。
【０００５】
そこで、本発明では、タンブラーの数を増やすことなく、鍵コードの種類を増やすことを課題とするものである。
【０００６】
【課題を解決するための手段】
前記課題を解決するため、本発明のシリンダ錠は、ドア本体に装着され、内周面に係合溝を備えたホルダーと、該ホルダー内に回転可能に設けたシリンダ本体とからなり、該シリンダ本体に、キー挿入方向と直交する方向に付勢され、キーが挿入される前の状態で、シリンダ本体から突出し、前記ホルダーの係合溝に係合する一方、キーが挿入された状態で、整列することにより前記シリンダ本体内に没入する複数のタンブラーを設けたシリンダ錠において、前記シリンダ本体に、前記各タンブラーを挿入する複数のタンブラー挿入孔と、これらタンブラー挿入孔の一端に位置する拡孔部と、これら拡孔部を直線状に結ぶようにシリンダ本体の一端から軸方向に沿って延びるスプリングリッド配設部と、を設けるとともに、前記各タンブラーの側縁部に、各タンブラーを前記タンブラー挿入孔に対して挿入方向または反挿入方向に付勢するスプリングのスプリング受部を設け、前記スプリングを前記スプリングリッド配設部と前記スプリング受部との間、または、前記スプリング受部と前記拡孔部の底部との間に挿入するとともに、前記スプリングリッドをスプリングリッド配設部に配設して各拡孔部を塞ぐことにより、前記タンブラー挿入孔に対して前記タンブラーを挿入方向および反挿入方向のいずれかに選択的に付勢可能とした構成としている。
【０００７】
前記シリンダ錠によれば、タンブラーを選択的に２方向に付勢でき、各付勢方向において異なる鍵コードを設定することができる。そのため、タンブラーの数を増やすことなく、多くの鍵コードの種類を設定することができる。また、拡孔部を直線状に結ぶようにシリンダ本体の一端から軸方向に沿って延びるスプリングリッド配設部を設け、このスプリングリッド配設部にスプリングリッドを挿入することにより、タンブラーを挿入方向または反挿入方向に付勢可能できるため、タンブラーおよびスプリングを簡単に収容することができる。
【０００８】
前記シリンダ錠では、前記タンブラーの側緑部に、キーの挿入により整列する切欠部を設け、該切欠部が形成されていない側縁部に前記スプリング受部を設けるとともに、前記各タンブラーに向かって付勢され、キーが挿入される前の状態で、タンブラーの側縁部に当接してシリンダ本体から突出し、前記ホルダーの係合溝に係合する一方、キーの挿入により前記タンブラーの整列した切欠部に係合することにより前記シリンダ本体内に没入するサイドバーを設けたことが好ましい。
【０００９】
さらに、前記各タンブラーをタンブラー挿入孔に対して同一方向から挿入することが好ましい。このようにすれば、タンブラーの組付作業性を向上できる。
【００１０】
さらにまた、前記各タンブラーに、前記スプリングによる付勢方向を示すマーク部を設けることが好ましい。このようにすれば、タンブラーの挿入方向を容易に確認することができるため、誤装着を防止できる。特に、このマーク部をホルダーと係合する係合凸部に形成することにより、シリンダ本体にタンブラーを組み込んだ後でも、シリンダ本体から突出した係合凸部を確認すれば、組付状態を確認できるため、誤装着されたものを確実に発見することができる。
【００１１】
そして、前記各タンブラーにおいて、前記切欠部の近傍に第２の切欠部を設けることが好ましい。このようにすれば、サイドバーの係合する正規の切欠部を読み取ることを防止することができる。
【００１２】
【発明の実施の形態】
以下、本発明の実施の形態を図面に従って説明する。
図１および図２は、本発明の実施形態に係る建物用のシリンダ錠を示す。このシリンダ錠は、大略、ホルダー１と、その内部に回転可能に設けられるシリンダ本体１０と、ホルダー１を覆うカバー３８とから構成されている。
【００１３】
前記ホルダー１は、亜鉛やアルミニウム等の金属材料を略円筒状に成形することにより得られる。ホルダー１の外周面には位置決め用の突条２と、逃がし溝３がそれぞれ２つずつ９０度間隔で交互に形成されている。ホルダー１の前面側には、外方に突出するフランジ状の鍔部４が形成され、その中央部には円筒状に突出する筒状部５が設けられている。また、ホルダー１の内周面の対称な位置には、軸方向に沿って一対の第１係合溝６（図１中、一方は図示せず）が形成されている。この第１係合溝６は、後述するタンブラー２１の係合凸部２５が係合することにより、シリンダ本体１０を回動不可能とするものである。さらに、ホルダー１の内周面には、前記第１係合溝６とは９０度位相した位置に、シリンダ本体から突出したサイドバー２８を収容する一対の第２係合溝７が形成されている。ホルダー１の後端開口部には、図２に示すように、後端から所定範囲に拡開部８が形成され、この拡開部８に連続して一対の係合凹部９が形成されている。
【００１４】
前記シリンダ本体１０は円柱状をなし、その内部には、図１、図３および図４に示すように、複数のタンブラー２１、各タンブラー２１を付勢するスプリング２７、および、サイドバー２８がそれぞれ収容されている。また、シリンダ本体１０の後端側外周部には、コンストラクションカム３２が軸方向に沿ってスライド可能に配設されている。
【００１５】
具体的には、前記シリンダ本体１０の軸心には、ユーザーキー５０Ａ，５０Ｂ（図９（Ａ），（Ｂ）参照）のキー溝５２に対応する突部１１ａが片側のみに形成されたキー挿入穴１１が形成されている。シリンダ本体の外周面には、両側から軸方向に所定間隔をもって前記キー挿入穴１１に連通する複数のタンブラー挿入孔１２がそれぞれ穿設され、このタンブラー挿入孔１２にそれぞれ後述するタンブラー２１が配設されている。そして、前記タンブラー挿入孔１２には、一方側部の下端にタンブラー２１のスプリング受部２４およびスプリング２７を挿入する拡孔部１３がそれぞれ形成されている。また、シリンダ本体１０の外周面には、前記各拡孔部１３を直線状に結ぶように軸方向に沿ってスプリングリッド配設部１４が設けられている。このスプリングリッド配設部１４は、図５に示すように、ホルダー１における後端の拡開部８の内縁に嵌合するシリンダ本体１０の背面側の鍔部１０ａを貫通し、前面にかけて断面略台形状に形成されている。また、このシリンダ本体１０の前面には位置決め凹部１５が設けられるとともに、鍔部１０ａには係止段部１６が形成されている。さらに、シリンダ本体１０の前面側の外周面には、図１に示すように、サイドバー２８を配設する略Ｉ字形の開口部１７が形成され、その両端部両側は平坦な取付部１７ａとなっている。
【００１６】
前記スプリングリッド配設部１４に配設するスプリングリッド１８は、一側面をシリンダ本体１０の外周面の曲率と同一とした断面台形状のものである。このスプリングリッド１８の挿入端には、前記位置決め凹部１５に挿入係止される位置決め凸部１９が設けられている。また、スプリングリッド１８の他端には前記係止段部１６に係止する係止突部２０が設けられている。
【００１７】
前記タンブラー２１は板状をなし、図３、図４および図６（Ａ），（Ｂ）に示すように、全長の短いコンストラクションキーと全長の長いユーザーキー５０Ａ，５０Ｂのいずれにも応動する６枚の前面側のタンブラー２１ａと、ユーザーキー５０Ａ，５０Ｂのみに応動する４枚の後方側のタンブラー２１ｂとの１０枚で構成されている。また、これらタンブラー２１には、中央部に矩形状のキー穴２２が穿設されている。各タンブラー２１の一方の側縁部にはサイドバー２８が没入するＶ字状の切欠部２３が形成され、他方の側縁部にはスプリング２７の一端部を圧接するスプリング受部２４が突設されている。さらに、各タンブラー２１は、長手方向の両端部が前記第１係合溝６内に突出して係合する係合凸部２５を構成する。なお、本実施形態では、その係合凸部２５の一方に、スプリング２７による付勢方向の手前側であることを示すマーク部２６が切り欠きにより形成されている。
【００１８】
前記サイドバー２８は、図１、図７（Ａ），（Ｂ）および図８（Ａ），（Ｂ）に示すように、下面が断面三角形状に突出する略三角柱形状で、上面両側にはスプリング受部２９がそれぞれ形成されている。このサイドバー２８は、シリンダ本体１０の取付部１７ａに加締めて固定される止め金具３０との間に配設した一対のスプリング３１により、シリンダ本体１０の開口部１７に没入するように付勢されている。そして、所定のユーザーキー５０Ａ，５０Ｂの挿入によりタンブラー２１が整列されて切欠部２３が一列に並ぶと、サイドバー２８はこれら切欠部２３に係合してホルダー１内に没入するようになっている。
【００１９】
前記コンストラクションカム３２は、図１に示すようにドーナツ状をなし、その一端側に鍔部３２ａが形成されている。そして、この鍔部３２ａと、前記シリンダ本体１０の鍔部１０ａとの間にはスプリング３３が配設され、コンストラクションカム３２を前面側（図２において右側）に付勢するようになっている。コンストラクションカム３２の外周縁部の対向位置には係合突部３４がそれぞれ形成され、内周面には、係合突部３４の近傍に、背面側のスプリング凹部３５と前面側のタンブラー凹部３６とがそれぞれ形成され、その間にコンストラクションカム３２の前面側への移動を阻止するための係合壁３７が設けられている。即ち、係合壁３７の前面側のタンブラー凹部３６に係合した後方側のタンブラー２１ｂにより、コンストラクションカム３２は前面側への移動が阻止される。
【００２０】
前記カバー３８は、図１および図２に示すように、一端が略円錐台形状の円筒状をなし、ホルダー１の外周側を覆った状態で、該ホルダー１がネジ止めにより固定されるものである。このカバー３８の円錐面側中央部には、キーを挿入可能とするための挿入孔３９が形成され、その内周縁には前記ホルダー１の先端面との間に環状の蓄光部材４０が配設される。この蓄光部材４０は、例えば、ポリカーボネイトに蓄光材料を練り込み、夜間に発光するものが使用される。
【００２１】
次に、前記構成からなる建物用のシリンダ錠の組み立てについて説明する。
まず、図３および図７（Ａ），（Ｂ）に示すように、前記シリンダ本体１０に形成した各タンブラー挿入孔１２の拡孔部１３にスプリング２７を挿入し、続いて各タンブラー挿入孔１２にタンブラー２１を挿入した後、前記スプリングリッド１８を配設して拡孔部１３を閉鎖することにより、全てのタンブラー２１を挿入方向と逆の反挿入方向に付勢する。
【００２２】
または、図４および図８（Ａ），（Ｂ）に示すように、各タンブラー挿入孔１２にタンブラー２１を挿入し、続いて各タンブラー挿入孔１２の拡孔部１３にスプリング２７を挿入した後、前記スプリングリッド１８を配設して拡孔部１３を閉鎖することにより、全てのタンブラー２１を挿入方向に付勢する。
【００２３】
そして、スプリング２７により付勢され、シリンダ本体１０から突出したタンブラー２１を図示しない冶具等を用いてシリンダ本体１０内に押し込んだ状態に維持する。
【００２４】
なお、前記シリンダ本体１０に対するタンブラー２１およびスプリング２７の組付作業は、タンブラー挿入孔１２の一端に設けた拡孔部１３により、作業性よく行える。また、タンブラー挿入孔１２にタンブラー２１およびスプリング２７を組み付けた後には、スプリングリッド１８を配設するだけで、その組付状態を維持できるため、更に作業性を向上できる。
【００２５】
また、各タンブラー２１は、スプリング２７による付勢方向または反付勢方向に全てのマーク部２６が位置するように揃える。なお、図示では、スプリング２７による反付勢方向にマーク部２６が位置するように組み付けている。
【００２６】
続いて、シリンダ本体１０の取付部１７ａにスプリング３１とともにサイドバー２８を配置し、その上方から止め金具３０を加締めにて固定して取り付ける。この状態で、サイドバー２８は前面側のタンブラー２１ａの側縁部に圧接される。
【００２７】
その後、シリンダ本体１０の外周部に、スプリング３３とともにコンストラクションカム３２を装着する。この際、コンストラクションカム３２をスプリングの付勢力に抗してシリンダ本体１０の鍔部１０ａに当接するまで押し込む。そして、その位置にあるタンブラー２１の押し込み状態を解除する。これにより、タンブラー２１ｂがコンストラクションカム３２のタンブラー凹部３６に係合し、係合壁３７によってコンストラクションカム３２の軸方向への移動が阻止される。
【００２８】
次いで、コンストラクションカム３２とともにシリンダ本体１０をホルダー１内に収容する。この際、各タンブラー２１の押し込みを解除し、それぞれホルダー１内の各第１係合溝６に係合させる。また、サイドバー２８が前面側のタンブラー２１ａの側縁部に押されてシリンダ本体１０から突出し、ホルダー１内の第２係合溝７に係合する。
【００２９】
その後、ホルダー１の先端面に蓄光部材４０を配置し、この状態で、シリンダ本体１０を装着したホルダー１をカバー３８の内部に装着し、ネジ止めにより固定する。
【００３０】
このようにして組み立てたシリンダ錠は、各タンブラー２１がシリンダ本体１０のタンブラー挿入孔１２に対して、挿入方向または反挿入方向の１方向に付勢されている。そのため、シリンダ錠を施錠または解錠するユーザーキー５０Ａ，５０Ｂは、図９（Ａ），（Ｂ）に示すように、そのキープレート５１において、キー挿入穴１１の突部１１ａに対応するキー溝５２が片面にのみ形成されている。また、このキープレート５１には、一方側縁にタンブラー２１のキー穴２２の縁に当接して該タンブラー２１を移動させるキー山５３ａが形成され、他方側縁に前記タンブラー２１の移動を阻害しないように対応するキー山５３ｂが形成されている。
【００３１】
そして、図７（Ａ），（Ｂ）に示すように、タンブラー挿入孔１２に対してタンブラー２１を反挿入方向に付勢するように組み立てた場合には、図９（Ａ）に示すユーザーキー５０Ａでのみ施錠または解錠できる。一方、図８（Ａ），（Ｂ）に示すように、タンブラー挿入孔１２に対してタンブラー２１を挿入方向に付勢するように組み立てた場合には、図９（Ｂ）に示すユーザーキー５０Ｂでのみ施錠または解錠できる。
【００３２】
このように、本発明のシリンダ錠では、タンブラー２１の付勢方向を変更することにより、同一のタンブラー２１を同一の順番で配設しても異なる鍵コードとして設定できる。そのため、タンブラー２１の数を増やすことなく、多くの鍵コードの種類を設定することができる。
【００３３】
また、前記各タンブラー２１には、前記スプリングによる付勢方向を示すマーク部２６を設けているため、シリンダ本体１０にタンブラー２１を挿入する際にその挿入方向を容易に確認できる。特に、本実施形態では、マーク部２６をホルダー１と係合する係合凸部２５に形成することにより、シリンダ本体１０にタンブラー２１を組み込んだ後でも、シリンダ本体１０から突出した係合凸部２５を確認すれば、組付状態を確認できるため、誤装着されたものを確実に発見することができる。
【００３４】
一方、前記シリンダ錠を建物のドア６０に取り付ける場合、図２に示すように、そのドア６０の前面パネル６１に形成した穴６１ａにホルダー１の後端部を挿入し、突条２によって回転方向の位置決めを行う。そして、ドア６０の背面パネル６２の背面から棒材６３を利用して取付台６４を介してネジ止めし、カバー３８の後端開口部を前面パネル６１に圧接させることにより装着が完了する。
【００３５】
このようにしてドア６０に装着されたシリンダ錠によれば、ドア６０の前面からカバー３８によって覆われた部分が突出しているため、キーの挿入を容易に行うことができる。そして、全長の長いユーザーキー５０Ａ，５０Ｂを使用すれば、以下のように、このユーザーキー５０Ａ，５０Ｂによってのみ解錠および施錠操作が可能となる。
【００３６】
即ち、全長の長いユーザーキー５０Ａ，５０Ｂの挿入により、ホルダー１の係合溝に係合する前面側のタンブラー２１ａのみならず、コンストラクションカム３２に係合した後方側のタンブラー２１ｂも移動する。これにより、コンストラクションカム３２はスプリングの付勢力によって前面側へスライド移動し、その係合突部３４がホルダー１の係合凹部９に係合して回転不可能となる。
【００３７】
したがって、この段階で、前記コンストラクションキーを挿入しても、ホルダー１と一体化したコンストラクションカム３２に係合する後方側のタンブラー２１ｂをシリンダ本体１０内に没入させることができず、解錠操作を行うことは不可能になる。
【００３８】
一方、全長の長いユーザーキー５０Ａ，５０Ｂを使用すれば、前記後方側のタンブラー２１ｂを前面側のタンブラー２１ａとともにシリンダ本体１０内に没入させ、ユーザーキー５０Ａ，５０Ｂを回転操作してホルダー１内でシリンダ本体１０を回転させることにより、解錠又は施錠操作を行うことが可能である。
【００３９】
具体的には、コンストラクションキーによる解錠を不可能とした状態で、かつ、ユーザーキー５０Ａ，５０Ｂの挿入前の状態では、図６（Ａ）に示すように、各タンブラー２１に形成した切欠部２３は、ユーザーキー５０Ａ，５０Ｂの挿入方向において、ランダムな突出量で一方向に突出している。
【００４０】
次に、解錠可能なユーザーキー５０Ａ，５０Ｂを挿入すると、そのキー山５３ａがタンブラー２１のキー穴２２の縁に当接する。そうすると、各タンブラー２１は、スプリング２７の付勢力に抗してシリンダ本体１０のタンブラー挿入孔１２内でスライドし、その係合凸部２５がホルダー１の第１係合溝６内からシリンダ本体１０内に位置する。
【００４１】
これにより、図６（Ｂ）に示すように、ユーザーキー５０Ａ，５０Ｂの挿入前の状態でランダムに位置していた切欠部２３が一列に整列する。その結果、サイドバー２８は、スプリング３１の付勢力により、ホルダー１の第２係合溝７内からシリンダ本体１０内に没入し、ユーザーがユーザーキー５０Ａ，５０Ｂを回転操作することにより、それに応じてシリンダ本体１０を回転させることができる。
【００４２】
なお、本発明のシリンダ錠は前記実施形態の構成に限定されるものではない。例えば、図１０に示すように、各タンブラー２１において、切欠部２３を形成した側縁部にその切欠部２３に類似する擬似的な第２の切欠部２３’を設けてもよい。この切欠部２３’は、サイドバー２８の没入を防止するため、厚さ方向に窪ませた凹部によって形成する。
【００４３】
または、図１１（Ａ）に示すように、前記切欠部２３’は、楕円形状の孔によって構成してもよく、また、図１１（Ｂ）に示すように、切欠部２３と略同形状の台形状の孔によって構成してもよい。さらに、図１１（Ｃ）に示すように、凹部からなる切欠部２３’と孔からなる切欠部２３’を組み合わせて構成してもよい。
【００４４】
このようにすれば、サイドバー２８の係合する正規の切欠部２３を不正に読み取ることを防止することができる。
【００４５】
また、前記実施形態では、シリンダ本体１０に対して全てのタンブラー２１を挿入方向または反挿入方向の１方向にのみ付勢するように組み付けたが、１つ置きに付勢方向を代えたり、ランダムに付勢方向を代える構成としてもよい。このようにすれば、より複数の鍵コードを形成することが可能になる。
【００４６】
【発明の効果】
以上の説明から明らかなように、本発明のシリンダ錠では、シリンダ本体に対してタンブラーを選択的に２方向に付勢できるようにし、各付勢方向において異なる鍵コードを設定できるようにしているため、タンブラーの数を増やすことなく、多くの鍵コードの種類を設定することができる。
【００４７】
また、前記各タンブラーに、前記スプリングによる付勢方向を示すマーク部を設け、タンブラーの組付状態を確認できるようにしているため、誤装着されたものを確実に発見することができる。
【図面の簡単な説明】
【図１】  本発明のシリンダ錠を示す分解斜視図である。
【図２】  図１の組付状態を示す断面図である。
【図３】  シリンダ本体の第１の組付状態を示す分解斜視図である。
【図４】  シリンダ本体の第２の組付状態を示す分解斜視図である。
【図５】  シリンダ本体の背面図である。
【図６】  （Ａ）はユーザーキーの挿入前の状態を示す断面図、（Ｂ）はユーザーキーの挿入後の状態を示す断面図である。
【図７】  第１の組付状態を示し、（Ａ）はユーザーキーの挿入前の状態を示す断面図、（Ｂ）はユーザーキーの挿入後の状態を示す断面図である。
【図８】  第２の組付状態を示し、（Ａ）はユーザーキーの挿入前の状態を示す断面図、（Ｂ）はユーザーキーの挿入後の状態を示す断面図である。
【図９】  （Ａ），（Ｂ）はシリンダ錠を施錠または解錠するユーザーキーを示す斜視図である。
【図１０】  タンブラーの変形例を示す斜視図である。
【図１１】  （Ａ），（Ｂ），（Ｃ）はタンブラーの他の変形例を示す斜視図である。
【符号の説明】
１…ホルダー、６…第１係合溝、７…第２係合溝、１０…シリンダ本体、１１…キー挿入穴、１２…タンブラー挿入孔、１３…拡孔部、１４…スプリングリッド配設部、１８…スプリングリッド、１９…位置決め凸部、２０…係止突部、２１…タンブラー、２２…キー穴、２３，２３’…切欠部、２４…スプリング受部、２５…係合凸部、２６…マーク部、２７…スプリング、２８…サイドバー、２９…スプリング受部、３２…コンストラクションカム、３８…カバー、５０…ユーザーキー、６０…ドア。
【図１】
0003929718.tif 000002
【図２】
0003929718.tif 000003
【図３】
0003929718.tif 000004
【図４】
0003929718.tif 000005
【図５】
0003929718.tif 000006
【図６】
0003929718.tif 000007
【図７】
0003929718.tif 000008
【図８】
0003929718.tif 000009
【図９】
0003929718.tif 000010
【図１０】
0003929718.tif 000011
【図１１】
0003929718.tif 000012